(57)【要約】【課題】跳ねた遊技球が演出部材に当たることを防止して演出部材の破損や、演出部材が可動演出部材の場合における可動の阻害を防止すると共に、パチンコ遊技機の始動入賞口に対する不正行為を防止することができるパチンコ遊技機を提供する。【解決手段】パチンコ遊技機１０において、演出部材７０は、孔３３の下方からステージ８０の上方に突出するように形成されており、ステージの上方から、演出部材よりも前方かつ透明板１７ａとの間隙が遊技球の直径未満となる位置まで突出して、転動領域３１ｃ又はステージ上から演出部材に向かって飛び出した遊技球が演出部材に衝突しないように、演出部材を覆う透明なガード部材１００を、センター装飾部材４２に配設した。【選択図】図５
2010148824.tif 000002
【特許請求の範囲】
【請求項１】
枠体に設けられた透明板の後方に配置された遊技板上のガイドレールによって区画形成された遊技領域に、
遊技球が入賞することが、遊技者に有利な大当り遊技状態を発生させるか否かの判定を行う起点となる始動入賞口と、
該始動入賞口の上方の前記遊技板に貫設された孔の後方に配設され、大当り遊技状態を発生させるか否かの判定結果に基づき変動演出表示を行う表示画面が前記孔から臨む演出表示装置と、
前記孔の周縁に装着されたセンター装飾部材と、
前記孔の後方かつ前記表示画面の前方に配設されて前記変動演出表示に伴って遊技の演出を行う演出部材と、
発射された遊技球が流下する、前記センター装飾部材と前記ガイドレールとの間の領域であって、遊技球の流下方向を変化させる障害部材が配設された転動領域と、
前記センター装飾部材の下部に配設され、遊技球を前記始動入賞口に入賞し易くなるように誘導する誘導路を設けたステージと、
前記センター装飾部材の側方の上部に球入口、該側方の下部に前記ステージへと繋がる球出口が形成され、遊技球を前記転動領域から前記ステージに誘導するワープ通路と、
を有するパチンコ遊技機において、
前記演出部材は、前記孔の後方かつ前記表示画面の前方における前記孔の下方から前記ステージの上方に突出するように形成されており、
前記ステージの上方から、前記演出部材よりも前方かつ前記透明板との間隙が遊技球の直径未満となる位置まで突出して、前記転動領域又は前記ステージ上から前記演出部材に向かって飛び出した遊技球が前記演出部材に衝突しないように、前記演出部材を覆う透明なガード部材を、前記センター装飾部材に配設したことを特徴とするパチンコ遊技機。
【請求項２】
前記ガード部材において前記透明板に最も接近する先端部は、該先端部付近に遊技球の直径未満の幅を有するスリットが形成されることで先割れ形状をなしていることを特徴とする請求項１に記載のパチンコ遊技機。
【発明の詳細な説明】
【技術分野】
【０００１】
本発明はパチンコ遊技機に関し、特に、演出表示装置の表示画面の前方に演出部材が配設されたパチンコ遊技機に関するものである。
【背景技術】
【０００２】
従来、パチンコ遊技機においては、遊技盤の遊技領域における中央下部に配設された始動入賞口の上方に設けられて該始動入賞口に遊技球を入賞させ易くする機能を有するステージと、該ステージの後方に配設されて表示画面で遊技の演出表示を行う演出表示装置との間に、パチンコ遊技機の演出用の演出役物（演出部材）が配設されるものがある。また、パチンコ遊技機の中には、演出役物として、遊技の演出制御に応じて可動する可動演出役物（可動演出部材）を有しているものもある（例えば、特許文献１参照）。さらに近年、演出役物のインパクトがより強くなるようにして遊技の興趣を向上させるために、前記したステージと該ステージの後方の演出表示装置との間に配設される演出役物に、大きな形状のものが用いられるようになってきた。
【特許文献１】特開２００４−８５３８号公報
【発明の開示】
【発明が解決しようとする課題】
【０００３】
しかしながら、前記したようなステージと該ステージの後方の演出表示装置との間に配設される演出役物を有するパチンコ遊技機では、その遊技中に、遊技領域における障害釘等の障害部材などで遊技球が大きく跳ねることがあり、その遊技球が演出役物に当たってしまうことがあった。このように、遊技球が演出役物に当たってしまうと、演出役物を破損させてしまったり、演出役物が可動演出役物の場合は当該可動演出役物の可動を阻害してしまったりする等の不具合が生じる可能性があった。特に、演出役物の形状が大きく、前方に突出するようなものである場合は、遊技球が跳ねた際に演出役物に当たり易く、問題が生じる可能性がより高くなっていた。
【０００４】
また、パチンコ遊技機の遊技者の中には、不正な手段で始動入賞口に遊技球を入れて遊技を不正に有利に進めようとする者がいる。このようなことを考える者が不正をすることができないように、パチンコ遊技機においても不正対策を取っておく必要がある。
【０００５】
本発明は、このような事情に鑑みてなされたものであり、障害部材などで跳ねた遊技球が演出部材に衝突することを防止して、演出部材の破損や、演出部材が可動演出部材の場合における可動の阻害を防止すると共に、パチンコ遊技機の始動入賞口に対する不正行為を防止することができるパチンコ遊技機を提供することを目的とする。
【課題を解決するための手段】
【０００６】
かかる課題を解決するために、本発明の請求項１に記載の発明は、枠体に設けられた透明板の後方に配置された遊技板上のガイドレールによって区画形成された遊技領域に、遊技球が入賞することが、遊技者に有利な大当り遊技状態を発生させるか否かの判定を行う起点となる始動入賞口と、該始動入賞口の上方の前記遊技板に貫設された孔の後方に配設され、大当り遊技状態を発生させるか否かの判定結果に基づき変動演出表示を行う表示画面が前記孔から臨む演出表示装置と、前記孔の周縁に装着されたセンター装飾部材と、前記孔の後方かつ前記表示画面の前方に配設されて前記変動演出表示に伴って遊技の演出を行う演出部材と、発射された遊技球が流下する、前記センター装飾部材と前記ガイドレールとの間の領域であって、遊技球の流下方向を変化させる障害部材が配設された転動領域と、前記センター装飾部材の下部に配設され、遊技球を前記始動入賞口に入賞し易くなるように誘導する誘導路を設けたステージと、前記センター装飾部材の側方の上部に球入口、該側方の下部に前記ステージへと繋がる球出口が形成され、遊技球を前記転動領域から前記ステージに誘導するワープ通路と、を有するパチンコ遊技機において、前記演出部材は、前記孔の後方かつ前記表示画面の前方における前記孔の下方から前記ステージの上方に突出するように形成されており、前記ステージの上方から、前記演出部材よりも前方かつ前記透明板との間隙が遊技球の直径未満となる位置まで突出して、前記転動領域又は前記ステージ上から前記演出部材に向かって飛び出した遊技球が前記演出部材に衝突しないように、前記演出部材を覆う透明なガード部材を、前記センター装飾部材に配設したことを特徴とする。
【０００７】
また、本発明の請求項２に記載の発明は、請求項１に記載の構成に加え、前記ガード部材において前記透明板に最も接近する先端部は、該先端部付近に遊技球の直径未満の幅を有するスリットが形成されることで先割れ形状をなしていることを特徴とする。
【発明の効果】
【０００８】
請求項１に係る発明によれば、ステージの上方に突出するように形成された演出部材よりも前方かつ透明板との間隙が遊技球の直径未満となる位置まで突出して演出部材を覆う透明なガード部材を、センター装飾部材に配設したことで、転動領域やステージ上から跳ねて演出部材に向かって飛び出した遊技球が演出部材に衝突することを防止して、演出部材の破損や、演出部材が可動演出部材の場合における可動の阻害を防止することができる。また、それと共に、ガード部材によって始動入賞口の上方の空間を覆うことができるため、パチンコ遊技機の開閉可能な枠体を不正な手段で開き、始動入賞口に手で遊技球を入れて遊技を不正に有利に進めようとする遊技者がいたとしても、始動入賞口の上方に手を入れることが困難となり、これにより、遊技球が演出部材に衝突しないようにするのと同時に、パチンコ遊技機の始動入賞口の上方の空間を介して始動入賞口に対して行おうとする不正行為を防止することができる。
【０００９】
請求項２に係る発明によれば、ガード部材において透明板に最も接近する先端部が、その先端部付近に遊技球の直径未満の幅を有するスリットが形成されて先割れ形状をなしているため、ガード部材の先端部の先割れ形状部が弾性力を有することとなる。このため、例えば、従来であれば、遊技盤の前方に有する透明板が設けられた開閉可能な枠体を、メンテナンス等で開けた後で閉じる際に勢い良く閉じると、透明板のしなりや撓みなどによる変形によって、演出部材をはじめとする装飾部材に透明板が当たって、演出部材をはじめとする装飾部材を破損してしまったり、透明板に障害釘等の硬い部材が当たって、透明板に傷が付いたり割れてしまったりする可能性があったが、本発明では、透明板が設けられた枠体を閉じる際に勢い良く閉じても、それらが当たる前に、ガード部材の先端部の先割れ形状部が透明板に弾性力を持って当たることで、演出部材をはじめとする装飾部材や透明板に強い衝撃が掛からず、演出部材をはじめとする装飾部材を破損したり透明板を傷付けたり割ったりすることを防止することができる。
【発明を実施するための最良の形態】
【００１０】
以下、本発明の実施の形態におけるパチンコ遊技機について図面を参照しながら説明する。図１は、本発明の実施の形態におけるパチンコ遊技機を表面側からみた斜視図であり、図２は、同パチンコ遊技機を背面側からみた斜視図である。
【００１１】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置４１（後述）などの表示制御を行う表示サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１２】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３は前枠１２と一体となって、前記した軸を中心に回動可能となっており、この窓枠１３と前枠１２とで本発明の枠体を構成している。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０及び遊技盤３０に備えられる各構成部材について図３〜図５を用いて説明する。図３は、本発明の実施の形態におけるパチンコ遊技機の遊技盤の正面図であり、図４は、同パチンコ遊技機の遊技盤の可動演出部材及びガード部材を含んだ拡大正面図であり、図５は、同パチンコ遊技機の図４のIV−IV線による簡略断面図である。
【００１６】
この遊技盤３０は、上述のように前枠１２の後面に装着されており、窓枠１３に設けられた透明板１７ａの後方に配置されている。遊技板３１は、遊技盤３０の有する各構成部材を固定するための板である。ガイドレール３２は、この遊技板３１の前面に固定されて、この遊技板３１上に、パチンコ球の発射通路３１ａと遊技領域３１ｂとを区画形成する。遊技領域３１ｂには、ガイドレール３２と後述するセンター装飾部材４２との間の領域に転動領域３１ｃを有している。この転動領域３１ｃには、パチンコ球の流下方向を変化させる複数の障害釘（障害部材）３９が打ち込まれている。上述の打球槌が弾いたパチンコ球は、発射通路３１ａを通して遊技領域３１ｂ内の転動領域３１ｃに放出される。そして、遊技領域３１ｂに放出されたパチンコ球は、障害釘３９に当たって転動しながら転動領域３１ｃを流下する。
【００１７】
遊技盤３０のほぼ中央部であって後述する始動入賞口４８の上方には、遊技板３１に貫設された孔３３が形成されており、当該孔３３の後方に、センター役物と呼ばれるカラー液晶ディスプレイ等を用いた演出表示装置４１が設けられている。この演出表示装置４１は、大当り遊技状態を発生させるか否かの判定結果に基づき変動演出表示を行う広い面積の表示画面４１ａを有しており、当該表示画面４１ａが孔３３から前方に臨むようになっている。また、孔３３の周縁には、パチンコ遊技機１０の装飾の一部であるセンター装飾部材４２が装着されている。このセンター装飾部材４２は、孔３３の右側部を覆う右部固定装飾部材４３や、孔３３の左側部を覆う左部固定装飾部材４４、孔３３の上部に配設される上大入賞口５２（後述）の周りを装飾する上部固定装飾部材５３、孔３３の下部を覆うステージ８０（後述）、ガード部材１００（後述）等で構成されている。
【００１８】
また、孔３３の後方かつ表示画面４１ａの前方で、演出表示装置４１の下部付近には、演出役物（演出部材）としての可動演出役物（可動演出部材）７０が設置されている。可動演出役物７０は、演出表示装置４１の表示画面４１ａで行われる変動演出表示などのパチンコ遊技機１０の遊技の演出制御に応じて可動することで遊技の演出を行うようになっており、図示しないアクチュエータ（ソレノイド、モータ等）に駆動されて、少なくとも一軸方向（本実施の形態ではパチンコ遊技機の上下方向）Ａに往復動するようになっている。
【００１９】
また、遊技領域３１ｂ内において、演出表示装置４１及び可動演出役物７０の下方には始動入賞口４８が配置されている。この始動入賞口４８は、パチンコ球が入賞することによって、遊技者に有利な大当り遊技状態を発生させるか否かの判定を行う起点となるものであり、上方に開口するポケット状に形成されており、開閉可能な一対の開閉自在な可動片４８ａを備えている。始動入賞口４８は、可動片４８ａが閉塞されている時には開口面積が小さくなってパチンコ球が入賞し難くなり、可動片４８ａが開放されている時には開口面積が大きくなってパチンコ球が入賞し易くなる。
【００２０】
また、始動入賞口４８の下方には、下大入賞口５１が配置されている。この下大入賞口５１は図示しないアクチュエータの作動により開閉する開閉扉５１ａを備えており、この開閉扉５１ａは、遊技状態が所定の大当り遊技状態になると開口し、その際には下大入賞口５１が上方に向かってポケット状に幅広く開口し、多数のパチンコ球が同時かつ連続的に下大入賞口５１に入賞可能となる。
【００２１】
さらに、演出表示装置４１の例えば上部付近には、同じくアクチュエータにより開閉する上大入賞口５２が配設されている。上大入賞口５２の左上部近傍には、遊技盤３０に直交する回動軸を支点にして開閉可動片６０が回動可能に軸支されている。この開閉可動片６０が閉塞位置にある時には、上大入賞口５２はパチンコ球が入賞不可能な閉状態となる。また、開閉可動片６０が開放位置にある時には、上大入賞口５２はパチンコ球が入賞可能な開状態となる。開閉可動片６０は、遊技状態が、下大入賞口５１を開口させるものとは別の大当り遊技状態になると、開状態と閉状態を所定間隔で複数回繰り返すように変動し、これにより上大入賞口５２にパチンコ球が入賞可能な状態となる。
【００２２】
なお、遊技盤３０の遊技領域３１ｂ内の転動領域３１ｃには、先述の始動入賞口４８、下大入賞口５１、上大入賞口５２の他に、図示しない複数の一般入賞口が設置されている。
【００２３】
また、センター装飾部材４２の下部には、パチンコ球を始動入賞口４８に入賞し易くなるように誘導する誘導路８１を始動入賞口４８の真上に設けた、略水平面で構成されたステージ８０が配設されている。また、側方に配設されたセンター装飾部材４２には、パチンコ球を転動領域３１ｃの途中からステージ８０に誘導するワープ通路９０が形成されている。本実施の形態のワープ通路９０は、このワープ通路９０への球入口９１が左部固定装飾部材４４の左側方の上部に形成され、当該左部固定装飾部材４４の中を通り、左部固定装飾部材４４の左側方の下部にステージ８０へと繋がる球出口９２が形成されている。
【００２４】
ここで、前記した可動演出役物７０は、図５に示すように、孔３３の後方かつ表示画面４１ａの前方における孔３３の下端部３３ａの下方から遊技板３１の裏面３１ｄよりも前方に突出してステージ８０の上方に突出するように形成されており、この可動演出役物７０を下方（一部は左右側方）から覆うように、透明なガード部材１００がセンター装飾部材４２に配設されている。このガード部材１００は、ＡＢＳ樹脂やポリカーボネイト等のプラスチックで構成されており、ステージ８０の後壁８２の上方から、可動演出役物７０よりも前方かつ透明板１７ａとの間隙Ｂがパチンコ球の直径未満となる位置まで突出している。なお、ガード部材１００と透明板１７ａとの間隙Ｂは、障害釘３９と透明板１７ａとの間隙Ｃや始動入賞口４８と透明板１７ａとの間隙Ｄ等、他の部材と透明板１７ａとの間隙よりも狭く形成されており（Ｂ＜Ｃ，Ｄ）、メンテナンス等で開けていた、透明板１７ａが設けられた枠体（前枠１２及び窓枠１３）を閉じた際には、透明板１７ａが遊技盤３０の部材に当接するとしても、最初にガード部材１００に当接するようになっている。
【００２５】
このガード部材１００が配設されていることにより、障害釘３９などに当たって転動領域３１ｃ（特に、転動領域３１ｃにおけるステージ８０よりも下方又は側方の領域からが多い）から飛び出したり、ステージ８０上から跳ねて飛び出したパチンコ球があったとしても、パチンコ球を可動演出役物７０を有している側に通さないため、可動演出役物７０にパチンコ球が衝突することがない。このため、可動演出役物７０が破損したりその可動を阻害する事態が生じることがない。
【００２６】
また、このガード部材１００は、その透明板１７ａに最も接近する先端部（本実施の形態では、上部）の少なくとも一部（本実施の形態では先端部全て）が固定されておらず、その先端部の全て又は一部（本実施の形態では上部左側と上部右側）に透明板１７ａに沿う部分を有している。そして、その透明板１７ａに沿う部分には、パチンコ球が間を通ったり間に嵌ったりしない程度、すなわちパチンコ球の直径未満の幅を有するスリット１０２が形成された先割れ形状部１０１となっており、当該先割れ形状部１０１は所定の圧力に対して（本実施の形態では、透明板１７ａが設けられた枠体（前枠１２及び窓枠１３）を勢い良く閉じる際にその透明板１７ａがガード部材１００に当たったときの圧力）、弾性力を有して撓むように形成されている。また、本実施の形態のガード部材１００は、その一部（本実施の形態では、左側の一部）は、ワープ通路９０の前方に重なるように形成されている。
【００２７】
なお、スリット１０２や先割れ形状部１０１の形状や厚み、ガード部材１００の素材等により、先割れ形状部１０１の剛性が変化するため、スリット１０２の幅は、それらの条件に応じて、パチンコ球の直径未満の幅の中で、パチンコ球が間を通ったり間に嵌ったりしない程度に適宜設定する必要がある。
【００２８】
以上のように、本実施の形態のパチンコ遊技機１０によれば、ステージ８０の上方に突出するように形成された可動演出役物７０よりも前方かつ透明板１７ａとの間隙Ｂが遊技球の直径未満となる位置まで突出して可動演出役物７０を覆う透明なガード部材１００を、センター装飾部材４２に配設したことで、転動領域３１ｃ（特に、転動領域３１ｃにおけるステージ８０よりも下方又は側方の領域からが多い）やステージ８０上から跳ねて可動演出役物７０に向かって飛び出した遊技球が可動演出役物７０に衝突することを防止して、可動演出役物７０の破損や可動の阻害を防止することができる。
【００２９】
また、それと共に、ガード部材１００によって始動入賞口４８の上方の空間を覆うことができるため、パチンコ遊技機１０の開閉可能な枠体（前枠１２及び窓枠１３）を不正な手段で開き、始動入賞口４８に手で遊技球を入れて遊技を不正に有利に進めようとする遊技者がいたとしても、始動入賞口４８の上方に手を入れることが困難となり、これにより、遊技球が可動演出役物７０に衝突しないようにするのと同時に、パチンコ遊技機１０の始動入賞口４８の上方の空間を介して始動入賞口４８に対して行おうとする不正行為を防止することができる。
【００３０】
また、従来では、可動演出役物にパチンコ球が当たらないようにするために、ステージの後壁を高くするものがあったが、本実施の形態のパチンコ遊技機１０では、ガード部材１００を後壁８２の上方からパチンコ遊技機１０の前方に突出させることにより、可動演出役物７０にパチンコ球が当たらないようにすることができるため、ステージ８０の後壁８２を必要以上に高くする必要がない。そのため、その後壁８２の背後に配設される可動演出役物７０の視認性が良くなり、後壁８２の上方の空間を可動演出役物７０の配設空間として広く確保することができる。また、ガード部材１００が透明な部材で形成されているため、可動演出役物７０や演出表示装置４１に対して、より良い視認性が得られるようになっている。
【００３１】
また、本実施の形態のパチンコ遊技機１０によれば、ガード部材１００において透明板１７ａに最も接近する先端部が、その先端部付近に遊技球の直径未満の幅を有するスリット１０２が形成されて先割れ形状部１０１をなしているため、ガード部材１００の先端部の先割れ形状部１０１が弾性力を有することとなる。このため、例えば、従来であれば、遊技盤の前方に有する透明板が設けられた枠体を開けた後に閉じる際に勢い良く閉じると、透明板のしなりや撓みなどによる変形によって、可動演出役物をはじめとする装飾部材に透明板が当たって、可動演出役物をはじめとする装飾部材を破損してしまったり、透明板に障害釘等の硬い部材が当たって、透明板に傷が付いたり割れてしまったりする可能性があったが、本発明では、透明板１７ａが設けられた枠体（前枠１２及び窓枠１３）を開けた後に閉じる際に勢い良く閉じても、それらが当たる前に、ガード部材１００の先端部の先割れ形状部１０１が透明板１７ａに弾性力を持って当たることで、可動演出役物７０をはじめとする装飾部材や透明板１７ａ等に強い衝撃が掛からず、可動演出役物７０をはじめとする装飾部材を破損したり透明板１７ａを傷付けたり割ったりすることを防止することができる。
【００３２】
さらに、本実施の形態のパチンコ遊技機１０では、ガード部材１００の一部（本実施の形態では、左側の一部）が、ワープ通路９０の前方に重なるように形成されている。このように、ガード部材１００の一部を、剛性の高いワープ通路９０に重ねて形成していると、本実施の形態のように先端部が先割れ形状部１０１となっていて、弾性力を有して撓み易くなっている場合に、ガード部材１００を後方から押えて、必要以上にガード部材１００が撓むことを防止することができる。これにより、ガード部材１００に圧力が掛かってガード部材１００が撓んだ際に、ガード部材１００が撓み過ぎて可動演出役物７０に当たってしまい、可動演出役物７０を破損したり可動演出役物７０の可動を阻害したりすることを防止することができる。
【００３３】
なお、以上説明した各実施の形態は、本発明の理解を容易にするために記載されたものであって、本発明を限定するために記載されたものではない。
【００３４】
例えば、前記した実施の形態では、可動演出役物（演出部材）はステージの上方に突出するように形成されていたが、これに限るものではなく、例えばステージの上方よりもさらに前方に突出して、遊技板の板面よりも前方に突出するように形成されていても良い。本発明のガード部材は、このように演出部材が遊技板の板面よりも前方に突出するような場合でも、当該演出部材を覆って遊技球が演出部材に衝突しないようにすることが可能となっている。
【００３５】
また、前記した実施の形態では、本発明の演出部材として、演出表示装置の表示画面で行われる変動演出表示などのパチンコ遊技機の遊技の演出制御に応じて可動することで遊技の演出を行う可動演出役物（可動演出部材）を用いて説明したが、これに限るものではなく、本発明の演出部材は、演出表示装置の表示画面で行われる変動演出表示などのパチンコ遊技機の演出制御に伴って遊技の演出を行うものであれば、可動しない演出役物（例えば、光源を有していて光るのみのものや、それ自体は可動（移動）せずにその一部の部材が可動するもの等）にも適用可能である。
【図面の簡単な説明】
【００３６】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の遊技盤の可動演出部材及びガード部材を含んだ拡大正面図である。
【図５】同パチンコ遊技機の図４のIV−IV線による簡略断面図である。
【符号の説明】
【００３７】
１０…パチンコ遊技機、１２…前枠（枠体）、１３…窓枠（枠体）、１７ａ…透明板、３１…遊技板、３１ｂ…遊技領域、３１ｃ…転動領域、３２…ガイドレール、３３…孔、３９…障害釘（障害部材）、４１…演出表示装置、４１ａ…表示画面、４２…センター装飾部材、４３…右部固定装飾部材（センター装飾部材）、４４…左部固定装飾部材（センター装飾部材）、４８…始動入賞口、５２…上部固定装飾部材（センター装飾部材）、７０…可動演出役物（演出部材）、８０…ステージ（センター装飾部材）、８１…誘導路、９０…ワープ通路、９１…球入口、９２…球出口、１００…ガード部材（センター装飾部材）、１０１…先割れ形状部、１０２…スリット
【図１】
2010148824.tif 000003
【図２】
2010148824.tif 000004
【図３】
2010148824.tif 000005
【図４】
2010148824.tif 000006
【図５】
2010148824.tif 000007